Podtech/llm-jp-corpus-v4-ja_patent huggingface dataset:
(57)【要約】【課題】天然ガスの各成分比にかかわりなく爆発下限界濃度を検出できる赤外線式ガスセンサを提供すること。【解決手段】赤外線源３と赤外検出器４，５とを相対向するように配置し、その光路中にガスを導入して透過率に基づいてガスの濃度を測定する赤外線式ガス検出器において、赤外線検出器４，５に入射する赤外線を中心波長約3.4μｍの第一波長帯と、中心波長約7.８５μｍの第二波長帯の２種類とし、信号処理手段１０により第二波長帯の透過率によりメタンの濃度を測定し、また第二波長帯の透過率による濃度からメタンの濃度を相殺してエタン、プロパン、ブタンの濃度を算出する。【選択図】図１
2014085111.tif 000002
【特許請求の範囲】
【請求項１】
赤外線源と赤外検出器とを相対向するように配置し、その光路中にガスを導入して透過率
に基づいてガスの濃度を測定する赤外線式ガス検出器において、前記赤外線検出器に入射
する赤外線を中心波長約3.4μｍの第一波長帯と、中心波長約7.８５μｍの第二波長帯の
２種類とし、第二波長帯の透過率によりメタンの濃度を測定し、また第二波長帯の透過率
による濃度から前記メタンの濃度を相殺してエタン、プロパン、ブタンの濃度を算出する
ことを特徴とする天然ガス用赤外線式ガス濃度測定装置。
【発明の詳細な説明】
【技術分野】
【０００１】
本発明は、都市ガス等の天然ガスの爆発下限界濃度等を検出を測定できる赤外線式ガス
センサに関する。
【背景技術】
【０００２】
天然ガスには主成分のメタンの他にエタン、プロパン、ブタンも含まれており、それぞ
れの濃度が産地毎に異なるため、特許文献１に見られるようにガスの品質や爆発下限界を
定めるためにはそれぞれの成分の濃度を特定する必要がある。
【先行技術文献】
【特許文献】
【０００３】
【特許文献１】特開平６−４３１２５号公報
【発明の概要】
【発明が解決しようとする課題】
【０００４】
本発明はこのような事情に鑑みてなされたものであって、その目的とするところは、天
然ガスのメタン濃度を正確に測定し、また各成分比にかかわりなく爆発下限界濃度を特定
できる赤外線式ガスセンサを提供することである。
【課題を解決するための手段】
【０００５】
このような課題を達成するために本発明は、赤外線源と赤外検出器とを相対向するよう
に配置し、その光路中にガスを導入して透過率に基づいてガスの濃度を測定する赤外線式
ガス検出器において、前記赤外線検出器に入射する赤外線を中心波長約3.4μｍの第一波
長帯と、中心波長約7.８５μｍの第二波長帯の２種類とし、第二波長帯の透過率によりメ
タンの濃度を測定し、また第二波長帯の透過率による濃度から前記メタンの濃度を相殺し
てエタン、プロパン、ブタンの濃度を算出するようにした。
【発明の効果】
【０００６】
天然ガスに含まれているエタン、プロパン、ブタンの爆発下限界濃度がそれぞれほぼ同
一で、かつメタンの濃度をエタン、プロパン、ブタンに干渉されることなく独立に検出で
き、さらに天然ガスの全成分の透過率を同一波長帯域で検出できることを積極的に利用し
て、簡単な構成により天然ガスのメタン濃度を正確に測定し、また爆発下限界を検出でき
る。
【図面の簡単な説明】
【０００７】
【図１】本発明の赤外線ガスセンサの一実施例を示す模式図である。
【図２】波長６〜９μｍにおける天然ガスを構成する成分のそれぞれの透過率を示す線図である。
【図３】波長２．５〜１０μｍにおける天然ガスを構成する各成分のそれぞれの透過率を示す線図である。
【図４】波長２．５〜１０μｍにおけるメタン自体の透過率を示す線図である。
【発明を実施するための形態】
【０００８】
図１は、本発明の一実施例を示すものであって、赤外線センサ１は被測定ガスの流入が
可能なセル２に赤外発光手段３と、この発光手段２から一定の距離を隔ててそれぞれ異な
る波長の光を選択的に検出する赤外受光手段４，５を配置して構成されている。
【０００９】
それぞれの赤外受光手段４，５の入射口側にはそれぞれ中心波長3.4±０．０３μｍ、
半値幅０．１５±０．０３μｍの第一波長帯のバンドパスフィルタ６、及び中心波長7.85
±０．１μｍ、半値幅０．２±０．０５μｍの第二波長帯のバンドパスフィルタ７が配置
されている。
【００１０】
そして、信号処理手段１０により天然ガスの爆発下限界濃度が算出される。
すなわち、第二波長帯（中心波長7.８５±０．１μｍ）における天然ガスの吸収スペク
トルは、図２に示したように、ほぼメタンだけの吸収である。
したがって、メタン濃度演算手段１０により天然ガスに含まれる他の成分、主としてエ
タン、プロパン、ブタンの影響を排してメタンの濃度を測定する。
【００１１】
一方、図３に示したように第一波長帯（中心波長3.4±０．０３μｍ）には天然ガスを
構成するほとんどの成分、つまりメタン、エタン、プロパン、ブタンの吸収がある。
したがって、メタン透過率演算手段１２により第二波長帯（波長7.８５±０．１μｍ）
の透過率に基いて計測したメタンの濃度により第一波長帯（中心波長3.4±０．０３μｍ）におけるメ
タンの透過率（図４におけるＡのスペクトル）を算出する。
【００１２】
ついで、総合透過率演算手段１３により中心波長3.4±０．０３μｍの透過率を求め、ついでメタン
透過率演算手段１２で求めたメタンの透過率をメタン以外濃度演算手段１４により相殺し
てメタン以外の成分、つまりエタン、プロパン、ブタンの合計濃度を算出する。
【００１３】
最後に爆発下限界濃度演算手段１５によりメタン濃度演算手段１１のメタン濃度とメタ
ン以外濃度演算手段１４のメタン以外の成分（エタン、プロパン、ブタン）の濃度とによ
り当該天然ガスの爆発下限界濃度を演算する。
【００１４】
なお、上述の実施例に於いては爆発下限界濃度の検出に例を採って説明したが、天然ガ
スとバイオガス等の比較的純粋なメタンとを識別できる。
【符号の説明】
【００１５】
１  赤外線センサ    ２  セル    ３  赤外発光手段  ４、５  赤外受光手段    ６、
７  バンドパスフィルタ
【図１】
2014085111.tif 000003
【図２】
2014085111.tif 000004
【図３】
2014085111.tif 000005
【図４】
2014085111.tif 000006
(57)【要約】      （修正有）【課題】自然エネルギーを使った電源を利用して災害予告（崖崩れ）、地震、津波、河川の鉄砲水が起きた時にその災害地まで出動しないで災害の情報、危険を点灯で知らせる方法を提供する。【解決手段】自然エネルギーを利用して発電する発電装置１と、発電装置が発生する電力を蓄える蓄電装置４と、蓄電装置４からの電力供給を受けて点灯する照明器具６を利用し地震を検知時に津波など危険を特定の周波数によって各々の地震等対策された照明器具６に点灯させ警告音など鳴らすなど又避難方向を示す矢印マークなどを別途表示し東西南北の表示を行う。【選択図】図１
2014085756.tif 000002
【特許請求の範囲】
【請求項１】
自然エネルギーを利用して発電する発電装置と、発電装置が発生する電力を蓄える蓄電装置と、蓄電装置からの電力供給を受けて点灯する照明器具に電波スイッチを備え、地震、津波、崖崩れ、河川の鉄砲水など検知時には防災機関などが特定の周波数を使って遠隔操作して、受信された電波スイッチが避難信号灯を点灯させ危険を知らせる事を特徴とする屋外避難誘導灯。      
【請求項２】
津波対策に避難方向を示す矢印マークに加え東西南北の表示も備えた請求項１記載の屋外避難誘導灯。
【請求項３】
太陽電池、ＬＥＤ，コントローラ、受信機、蓄電器、を１固体として送信機を具備している小型屋外避難誘導灯。
【発明の詳細な説明】
【技術分野】
【０００１】
本発明は自然災害おこりうる現場に設置して地震、津波、河川の鉄砲水、崖崩れなどその危険現場に出向く事なく防災機関などによりＦＭ，ＡＭ，短波、衛星の特定の周波数を使用して送信し受信機が避難信号灯を稼動する。それぞれ光、音（音声）危険音、絵、絵文字によって危険を知らせることの出来る避難誘導灯。
【背景技術】
【０００２】
地下街、地下道又トンエル内などには、火災、停電時など防災照明装置である誘導灯は各所に設けられている。このような誘導灯は補助電源として蓄電池が内蔵され停電などの非常の際には蓄電池に切換えて光源を点灯している。
【０００３】
自然エネルギー（太陽光、風力）を利用して照明器具を点灯させている地域場所を選ばず安定的に発電出来省エネルギー化の役に立っている。
【先行技術文献】
【特許文献】
【０００４】
【特許文献１】特開２００４−３０２９７５
【特許文献２】特開２００７−３０４６５８
【特許文献３】特開２０１１−１６５５７３
【発明の概要】
【発明が解決しようとする課題】
【０００５】
本発明の課題は自然エネルギーを使った電源を利用して災害予告（崖崩れ）、地震、津波、河川の鉄砲水が起きた時にその災害地まで出動しないで災害の情報、危険を点灯で知らせる方法がなかった。
【０００６】
津波などには安全な所へ素早く逃げる避難方向を知らせる避難誘導灯がなかった。
【課題を解決するための手段】
【０００７】
自然エネルギー（太陽光、風力）で発電を利用して発電する発電装置と、発電装置が発生する電力を蓄える蓄電装置と、蓄電装置からの電力供給を受けて点灯する避難信号灯を備え地震等を検知時に受信装置に特定の周波数によって送信する事で避難信号灯を点灯させ危険を知らせることを特徴とする屋外避難誘導灯。
【発明の効果】
【０００８】
災害時に素早く避難が出来、また旅行客などその土地に詳しくない人々にも避難道、避難方法が分かる。
【図面の簡単な説明】
【０００９】
【図１】本発明の避難誘導灯の外観正面図
【図２】避難誘導灯の概略を示す構成図
【図３】避難道の表示案内板
【図４】小型避難用誘導灯立体図
【発明を実施するための形態】
【実施例】
【００１０】
太陽光や風力、商用電源を電源とし、常時、受信機（イ）ラジオコントローラ（ウ）、充電器及び過流電防止器（２）、直流電気変換機Ａ（３）、二次電気である蓄電池（４）を稼動する。災害など必要な時に防災機関などから送信機（ア）で遠隔操作して特定の電波を送り、受信機（イ）に働きかけラジオコントローラ、（ウ）で避難信号灯（５）に電気を送り点灯させて危険を知らせる。
【００１１】
送信機（ア）の電波は公共の電波（ＦＭ，ＡＭ、短波、衛星など）を使用する。
【００１２】
街灯（６）、光センサー（７）、避難表示（８）、携帯電話充電コンセント及び充電電池の充電設備（９）に付属取り付けとして避難誘導灯に活用する。
【００１３】
街灯（６）の光源としては、複数のＬＥＤを備えて構成されており蓄電装置に接続されている。    
【００１４】
街灯（６）は、光センサーによる制御によって、周辺が暗くなると点灯し、明るくなると、消灯する。
【００１５】
避難方向を示す矢印マークと今居る場所から東西南北どちらへ逃げるかを知るために東西南北の表示も重ねてある。そしてその下には、矢印が示す目的である津波から逃げる絵を描いてある。（図３）
【００１６】
避難信号灯は、光、音（音声）、危険音、絵、絵文字も出来るようにする。
【００１７】
避難道の表示案内板に矢印マーク等の表示部は反射する蛍光塗料などで夜間に見やすいようにしてある。
【００１８】
津波は高台へ逃げる必要があるため誘導避難灯は高台までの道しるべとして利用するための本数が必要である。最大１ＫＭ間に１本は必要である。
【００１９】
早く普及させるためには、安く作る必要があるため、太陽電池、ＬＥＤ、コントローラ、受信機、蓄電池を一個体として別に送信機も具備している小型避難誘導灯で、ＬＥＤの点灯の部分では、津波（赤、黄、青）崖崩れ（黄、青）鉄砲水（赤、青）のように、その光の違いで危険を知らせる表示を行い、一般の人に分るようにします。（図４）
【符号の説明】
【００２０】
ア．送信機
イ．受信機
ウ．ラジオコントローラ
1．太陽電池
2．充電器及び過流電防止器
3．直流電気変換機Ａ（１００Ｖ→１２Ｖ）
4．蓄電池（リチウムイオン、ニッケル水素、カドニカ電池、鉛電池など）
5．避難信号灯
6．街灯（足元灯）
7．光センサー切替スイッチ
8．避難道表示案内板
9．携帯電話充電コンセント及び充電用電池の充電設備
10．ポール
11．商用電力（図２）
【産業上の利用可能性】
【００２１】
昨今地震が近いうちに来ると騒がれているが津波が来た時、高台へ逃げるのが一番だが、そのため  には高台へ行く道も整備し災害に備える事が日本の経済をささえ、安全で快適な社会環境が実現出  来る。将来的に、石油、石炭、化石燃料の枯渇が懸念される中
太陽光、風力など何度でも利用できるエネルギーを使い地球温暖化の防止の観念からも
最適である。
【図１】
2014085756.tif 000003
【図２】
2014085756.tif 000004
【図３】
2014085756.tif 000005
【図４】
2014085756.tif 000006
(57)【要約】      （修正有）【課題】銀行がいかに事業主のお金を途切らせないか、融資経路の見直しを提供する。【解決手段】ユーザが政府系金融機関から融資を受ける際、ユーザの口座のある銀行を仲介として、政府系金融機関からお金を借りる。具体的には、先ず、ユーザはユーザの口座のある銀行に融資を申し込み、そこで審査を行う。さらに政府系金融機関にも審査を申込み、銀行と政府系金融機関で審査を行って、ユーザの口座のある銀行を経由して融資を行う。【選択図】図１
2014085680.tif 000002
【特許請求の範囲】
【請求項１】
本発明は、ユーザが政府系金融機関から融資を受ける際、口座のある銀行から仲介として、政府系金融機関からお金を借りる際に、口座のある銀行に融資を申し込み、そこで審査を行い、別に政府系金融機関には審査を申込、銀行、政府系金融機関ともに審査を行い、銀行を経由して融資を行う。
【発明の詳細な説明】
【技術分野】
【０００１】
本発明は、政府系金融機関の銀行の仲介による融資である。
【背景技術】
【０００２】
政策金融機関（せいさくきんゆうきかん）とは、日本において、政府が、経済発展、国民生活の安定などといった一定の政策を実現する目的で、特に法律を制定することにより特殊法人として設立し、出資金のうちの多く（または全額）を政府が出資している金融機関の総称であり、俗に「政府系金融機関」（せいふけいきんゆうきかん）と呼ばれることもある。代表的な例として、日本政策投資銀行、日本政策金融公庫、住宅金融支援機構、商工組合中央金庫（商工中金）などがあげられる。
【０００３】
銀行（ぎんこう）とは、預金の受入、資金の移動（決済）や貸出（融資）、手形・小切手の発行などを行う金融機関である。ここでは、主に日本の銀行法に基づく銀行について、記載する。固有名詞ではバンクとも呼ばれている。
【先行技術文献】
【特許文献】
【０００４】
【特許文献１】なし
【非特許文献】
【０００５】
【非特許文献１】なし
【発明の概要】
【発明が解決しようとする課題】
【０００６】
解決しようとする問題点は、融資の経路を見直すという点である。
【課題を解決するための手段】
【０００７】
本発明は、ユーザが政府系金融機関から融資を受ける際、口座のある銀行から仲介として、政府系金融機関からお金を借りる際に、口座のある銀行に融資を申し込み、そこで審査を行い、別に政府系金融機関には審査を申込、銀行、政府系金融機関ともに審査を行い、銀行を経由して融資を行う。
【発明の効果】
【０００８】
本発明の効果は、仲介をした銀行に、手数料が入ってくるというものである。目安は、５％から１０％くらい。
【図面の簡単な説明】
【０００９】
【図１】図１はユーザ、政府系金融機関、銀行の相関関係である。
【発明を実施するための形態】
【００１０】
事業資金に限っては、総量規制の対象とならないので、自己資金は０で済む。
【産業上の利用可能性】
【００１１】
店舗を持っている一般の銀行とする。
【図１】
2014085680.tif 000003
(57)【要約】【課題】年齢を重ねると顔の頬などの皮膚がたるみ皴になり、特に頬のたるみが気になる。【解決手段】耳にかける部分から前の長さ５ｃｍの肌に付く側に滑り止めの細かい突起が数十ある適度な厚みの弾性ジェル素材のついたメガネフレームをかけ、頬の皮膚を吊り上げて固定し、頬の皮膚のたるみを軽減する。【選択図】図１
2014085658.tif 000002
【特許請求の範囲】
【請求項１】
メガネの耳にかける部分から前の肌に付く側に長さ５ｃｍの滑り止めの細かい数十の突起のある適度の厚みの弾性ジェル素材をつけ、このメガネをかけた時に耳の前上部の皮膚を吊り上げ固定して頬の皮膚のリフトアップができるメガネフレーム
【発明の詳細な説明】
【技術分野】
【０００１】メガネのフレームの製作。
【背景技術】
【０００２】メガネのフレーム製作業者が製作している。
【発明の概要】
【発明が解決しようとする課題】
【０００３】年齢を重ねると頬などの皮膚がたるみ口元や目じりに皴ができる。
【課題を解決するための手段】
【０００４】耳にかける部分から前の肌に付く側に長さ５ｃｍの細かい突起が数十ある滑り止め付き弾性の適度な厚みのジェル素材の付いたメガネフレームをかけ、頬の皮膚を吊り上げ固定する。
【発明の効果】
【０００５】耳かけ部分から前の肌に付く側に５ｃｍの滑り止めの細かい数十の突起がある弾性の適度な厚みのジェル素材のメガネフレームをかけ、頬の皮膚を吊り上げて固定することにより頬のたるみを軽減すると同時にメガネのずり落ちも軽減する。
【図面の簡単な説明】
【０００６】
【図１】耳にかける部分から前の肌に付く側に長さ５ｃｍの滑り止めの細かい数十の突起がある適度な厚みの弾性ジェル素材の付いたメガネフレーム
【図２】人が滑り止めジェル素材の付いたメガネフレームをかけた側面の皮膚の状態
【発明を実施するための形態】
【０００７】従来のメガネフレームの耳かけ部分の肌に付く側に長さ５ｃｍの滑り止めの細かい突起の数十付いた適度な厚みの弾性ジェル素材を付ける
【実施例】
【０００８】購入者は老眼鏡や遠近両用メガネを使用する中高年の人で家事や外出など全てに適用する。
【産業上の利用可能性】
【０００９】メガネフレームの市場が活性化し、特に中高年の女性に受け入れられる。
【符号の説明】
【００１０】１  長さ５ｃｍの細かい数十の突起のついた適度な厚みのある弾性ジェル素材
【図１】
2014085658.tif 000003
【図２】
2014085658.tif 000004
(57)【要約】      （修正有）【課題】裸眼と老眼鏡、または、裸眼と老眼鏡以外の眼鏡等を着用した場合、面倒なくほとんど手間を必要とせず即対応できる、眼鏡フレームを提供する。【解決手段】眼鏡を掛けた状態のままレンズ先端部３とフレーム耳あて部分５との中間に、主として上側に角度を変えて折り曲げが出来る構造２，６を設定し、眼鏡全体又は一部分が顔の額等に干渉しない角度に調整できる構造の蝶番４、治具等を設ける。【選択図】図１
2014085659.tif 000002
【特許請求の範囲】
【請求項１】
（イ）眼鏡を掛けた状態のままレンズ先端部とフレーム耳あて部分との中間（位置は限定しない個所）に、上下折れ曲がり（主に上側）が出来る眼鏡フレームの構造とする。
（ロ）通常眼鏡フレーム自体は大きさ、形状、材質、デザイン、色彩等々多岐に渡って千差万別でありますが、上下折れ曲がり（主に上側）部分に設けるこの眼鏡フレームの曲がり部分には、曲りに適応した材質及び機材であったり、又はこの個所に器具、治具等を組み入れ、取り入れることにより主としてワンタッチ操作で人力で作用する構造とする。
（ハ）両方式とも眼鏡フレームの折れ曲がり部分（位置は限定しない個所）で、主として上側に角度を変えて折り曲げが出来る構造とする。
（ニ）眼鏡フレーム折れ曲がり部にて角度をつけ勾配を持たせた場合先端眼鏡全体又は一部分が顔の額等に干渉して、支障を来す場合は先端眼鏡部分と先端眼鏡フレームとは支障を来さない角度（顔に平行）に調整できる構造の蝶番、治具等を設けるものとする。尚この部分に使用する蝶番、治具等、形状、大きさ、重さ、構造形式、色彩等これらについては限定しない。
（ホ）眼鏡フレーム折れ曲がり部にて角度をつけ勾配を持たせた場合先端眼鏡全体又は一部分が顔の額等に干渉して、支障を来す場合は眼鏡フレームの曲がり部にスライド微調整できる構造の器具、治具とする事。
尚この部分に使用するスライド材器具、治具等の材質、形状、大きさ、重さ、構造形式、色彩等これらについては限定しない。
（ヘ）折れ曲がり位置の限定していない眼鏡フレームの折れ曲がり部分の角度又折れ曲がり部から先のフレームと眼鏡先端部との角度については限定しない構造とする。
（ト）眼鏡フレーム折れ曲がり部分の材質、形状、大きさ、重さ、色彩又この個所に使用する器具、治具等の材質、形状、大きさ、重さ、構造形式、色彩等これらについては限定しない。
【発明の詳細な説明】
【技術分野】
【０００１】この発明は、眼鏡を掛けた状態のままレンズ部分を本人の目から少し上側に外した上部位置にスライドできる一体化した眼鏡フレーム装置である。
【背景技術】
【０００２】従来眼鏡フレーム自体は大きさ、形状、材質、デザイン、色彩等々多岐に渡って千差万別数多くありました。
【発明が解決しようとする課題】
【０００３】これは次のような欠点があった。
例えば、老眼鏡を使用している人の場合、遠くは裸眼で生活上支障は来さないが、近くの新聞等の文字を見る場合どうしても老眼鏡が必要になり、使用した際この老眼鏡を掛けたまま歩行することは、大変危険であります。
その為に頭部にずらしたり，眼鏡を一時的に外して、結果的に何処に置いたか判らずに、何個も購入等してきました。其の為に眼鏡チェーンを眼鏡に取り付け対応してきましたが、面倒であり又チェーンが絡んだり、外れたりと苦慮してきました。
本発明はこれらの欠点をなくす為又老眼鏡に限らず全ての眼鏡使用者に対応してなされた、眼鏡フレームである。
【課題を解決する為の手段】
【０００４】眼鏡を掛けた状態のままで行動出来必要なときは折れ曲がり部のフレームをワンタッチ操作することで何時でも、必要なときに瞬時に利用できる眼鏡フレームである。
【発明の効果】
【０００５】裸眼と老眼鏡また裸眼と老眼鏡以外の眼鏡着用した場合、面倒なくほとんど、手間を必要とせず即対応できる様になった。又常に設置してあるので便利である。
【発明を実地する為の最良の形態】
【０００６】以下。本発明を実地する為の最良の形態について説明する。
裸眼で走行又はその他の行動をする場合老眼鏡をフレームの折れ曲り部で操作して、本人の目から少し外した位置上部にスライドして利用するものとする。
老眼鏡を使用すら場合同様に操作して、裸眼の上に老眼鏡をスライドさせれば即使用可能である。
老眼鏡に限らず全ての眼鏡使用者に即使用対応可である。
【図面の簡単な説明】
【０００７】
【図１】  本発明の平面図である。
【図２】  本発明の側面図である。
【符号の説明】
【０００８】１    本体フレーム（テンプル）
２    フレームの折れ曲がり部
３    眼鏡先端部
４    眼鏡先端部の蝶番、器具、治具材（智）
５    耳あてフレーム部分（モダン）
６    スライド微調整治具
【図１】
2014085659.tif 000003
【図２】
2014085659.tif 000004
(57)【要約】      （修正有）【課題】眼鏡を掛けた状態のまま眼鏡枠と本体フレーム部において、眼鏡枠を上下に垂直移動が出来、老眼鏡に限らず全ての眼鏡使用者に対応してなされた、眼鏡を提供する。【解決手段】眼鏡枠１と本体フレーム２（左右耳フレーム）に上下運動ができるハブ材３を装置すること。【選択図】図２
2014085660.tif 000002
【特許請求の範囲】
【請求項１】
（イ）眼鏡のレンズを取り巻く眼鏡枠と左右耳へサポートとする眼鏡フレームに取合う留め金取付け個所（上側が最適）上において、眼鏡枠全体が上側にスライドが出来る用にされた眼鏡フレームと一体式構造とする。
（ロ）この眼鏡枠には、既存の眼鏡枠に、脱着式のハブ（器具、治具等）を取り付ける事が出来る構造仕様として、又左右耳へサポートとする脱着式眼鏡フレームの留め金と取合うことが出来る構造仕様として、これらのふたつは、折りたたんで、使用できる構造とする。
（ハ）この眼鏡枠は、上側スライドに適応した材質及び形状であり、左右耳へサポートとするフレームとレンズを取り巻く眼鏡枠とが自由にスライドできる構造であり、ワンタッチ操作で人力で作用する構造とする。
（ニ）この眼鏡枠に使用するスライド材器具、治具等の材質、形状、大きさ、重さ、構造形式、色彩等これらについては限定しない。
（ニ）眼鏡枠と取り合う、左右耳へサポートとする眼鏡フレーム留め金（器具、治具等）の材質、形状、大きさ、重さ、構造形式、色彩等これらについては限定しない。
【発明の詳細な説明】
【技術分野】
【０００１】この発明は、眼鏡を掛けた状態のままレンズ部分を本人の目から少し上側に外した上部位置にスライドができる一体化した眼鏡装置である。
【背景技術】
【０００２】従来眼鏡は大きさ、形状、材質、デザイン、色彩等々多岐に渡って千差万別数多くありました。
【発明が解決しようとする課題】
【０００３】これは次のような欠点があった。
例えば、老眼鏡を使用している人の場合、遠くは裸眼で生活上支障は来さないが、近くの新聞等の文字を見る場合どうしても老眼鏡が必要になり、使用した際この老眼鏡を掛けたまま歩行することは、大変危険であります。
その為に頭部にずらしたり，眼鏡を一時的に外して、結果的に何処に置いたか判らずに、何個も購入等してきました。其の為に眼鏡チェーンを眼鏡に取り付け対応してきましたが、面倒であり又チェーンが絡んだり、外れたりと苦慮してきました。
本発明はこれらの欠点をなくす為又老眼鏡に限らず全ての眼鏡使用者に対応してなされた、眼鏡フレームである。
【課題を解決する為の手段】
【０００４】眼鏡を掛けた状態のままで作業し、裸眼で行動したいときは、眼鏡枠をワンタッチで上側にスライド操作することで何時でも、必要なときに瞬時に利用できる眼鏡である。
【発明の効果】
【０００５】裸眼と老眼鏡また裸眼と老眼鏡以外の眼鏡着用した場合、面倒なくほとんど、手間を必要とせず即対応できる様になった。又常に設置してあるので便利である。
【発明を実地する為の最良の形態】
【０００６】以下。本発明を実地する為の最良の形態について説明する。
裸眼で走行又はその他の行動をする場合老眼鏡の眼鏡枠を人力で操作して、本人の目から少し外した位置上部にスライドして利用するものとする。
老眼鏡を使用する場合同様に操作して、裸眼の上に老眼鏡を下にスライドさせれば即使用可能である。
老眼鏡に限らず全ての眼鏡使用者に即使用対応可である。
【図面の簡単な説明】
【０００７】
【図１】  本発明の平面図である。
【図２】  本発明の側面図である。
【符号の説明】
【０００８】１    レンズ眼鏡枠
２    本体フレーム（左右耳フレーム）
３    レンズ眼鏡枠のスライドハブ材（器具。治具）
４    本体フレームの蝶番（止め金）、器具、治具材（智）
【図１】
2014085660.tif 000003
【図２】
2014085660.tif 000004
(57)【要約】【課題】下足棚は夫々の家の玄関に備え付けられてあるが通常マンションやアパート等は、その家族の下足でいっぱいで５〜６人以上の来客やホームパーティなどの時はやむをえず廊下やリビングに新聞紙を広げて間に合わせていたもののますます狭く見映えも良くない。本発明は下足に重ねられる棚式にして使用し、又日常使わない時は折りタタンで収納できる折りタタミ下足棚として提供する。【解決手段】下足棚の裏板を真横に２分して蝶番でつなぐことによって開閉を可能にし、又  上板  棚板２枚、底板、側板２枚は同じ長さに統一したため、全ての板を重ねてオリタタム事ができることを特徴とする下足棚。【選択図】図１
2014064878.tif 000002
【特許請求の範囲】
【請求項１】
下足棚の背板を真横に２分して蝶番でつなぐことによって開閉を可能にし、上板、棚板２枚、底板、側板２枚を略同じ長さに統一したため全ての板を重ねて折りタタム事ができる下足棚。
【発明の詳細な説明】
【技術分野】
【０００１】本発明は折りタタミ式下足棚で下足棚に関するものである
【背景技術】
【０００２】マンションやアパート等は玄関が狭く下足棚は小さい。
来客時やホームパーティ等の時の下足の置場を確保するために考えたものである。
【発明の概要】
【発明が解決しようとする課題】
【０００３】玄関の広さには限りがあるので下足棚を増やすのは不可能であった。本発明は以上の問題点を解決するためになされたものである。
【課題を解決するための手段】
【０００４】下足棚の各棚と側板は同じ長さで側板は回転軸にそって回転させることによって結合させて使う。背板は横に２分し、蝶番で開閉し、閉じた時は、各棚板との間に略平行に収まる
【発明の効果】
【０００５】従来、不可能とされていた折りタタム事ができる下足棚を、本発明により可能にし、使用する事ができる。
本発明は下足棚として使用するだけでなく、他の棚としても使用ができ折り畳んで運べるので屋内外での使用が可能である。
【図面の簡単な説明】
【０００６】
【図１】本発明の斜視図
【図２】本発明の使用状態を示す斜視図
【発明を実施するための形態】
【０００７】以下、本発明の実施の形態を説明する
（イ）側板１と上板３の隣接する辺に回転軸１４を設ける。
（ロ）側板２と下板６の隣接する辺に回転軸１５を設ける。
（ハ）側板１、側板２の内側には棚板４棚板５を支える溝１０を等間隔で平行に２ヶ所づつ設ける。
（ニ）背板７、８、９、夫々は横に２分し蝶番を付けて開閉する。
（ホ）上板３  棚板４  棚板５  底板６は背板７、８、９と各々蝶番でつなぐ。
（ヘ）磁石１３は側板１と底板６を固定する。磁石１４は側板２と上板３を固定する。
本発明は以上のような構造である。
本発明を使用する時は側板１を回転軸１１にそって右に廻し立て、側板２を回転軸１２にそって左側に立てる。
棚板４、棚板５は夫々溝１０に差し込む。
【符合の説明】
【０００８】１  側板  ２  側板  ３  上板  ４  棚板  ５  棚板  ６  底板
７  背板  ８  背板  ９  背板  １０  溝  １１  回転軸  １２  回転軸
１３  磁石  １４  磁石  １５  蝶番
【図１】
2014064878.tif 000003
【図２】
2014064878.tif 000004
(57)【要約】      （修正有）【課題】トイレ便座を手で持ち上げる際、非衛生的と感じる便座部分に直接手を触れる事なく、持ち上げる事が出来る取手を付けた便座を提供する。【解決手段】便座１の側面に持ち上げる際に手でつかんで（つまんで）持ち上げられる程度の大きさの取手２を設けた取手付き便座であり、便座１を成形加工する際、手でつかんで持ち上げられる程度の大きさの取手を、便座１と同時に成形加工して取り付ける、或いは、接着剤等で取手の無い便座１に取手２を貼り付け固定する。【選択図】図１
2014064866.tif 000002
【特許請求の範囲】
【請求項１】
便座の側面に取手を設けた取手付き便座。
【発明の詳細な説明】
【技術分野】
【０００１】  本発明は、トイレ便座に便座を持ち上げる際に手でつかむ取手を設けた取手付き便座に関するものである。
【背景技術】
【０００２】  従来の便座は持ち上げる際の取手が付いていなかった。
【先行技術文献】
【０００３】
【特許文献１】
【非特許文献１】
【発明の概要】
【発明が解決しようとする課題】
【０００４】  従来のトイレ便座は、下に降りているところから、上に手でつかんで上げて利用する際（主に男性の小用の為の利用時）、特に手でつかむ取手がなかった為、人によってつかむ場所が異なるものの、便座の特性上、手で触れる際に非衛生的であるという理由により嫌悪感が欠点としてあった。
本発明は、以上のような欠点をなくす為になされたものである。
【課題を解決するための手段】
【０００５】  便座（１）の側面に、便座を持ち上げる際に手でつかんで（つまんで）持ち上げられる程度の大きさの取手（２）を設ける。
【発明の効果】
【０００６】  便座を持ち上げる際、取手が付いている為、つかむ箇所が明確となり、便座に直接手で触れる必要が無い為、非衛生的な理由による嫌悪感が解消される。
【図面の簡単な説明】
【０００７】
【図１】本発明の斜視図である。
【図２】本発明の平面図である。
【図３】本発明の断面図である。
【発明を実施するための形態】
【０００８】  以下、本発明を実施するための形態について説明する。
便座（１）の側面（便座に座る際、臀部が触れる事が通常あり得ない箇所及び便座に座る際邪魔にならない箇所）に、取手（２）を設ける。
便座を成形加工する際、手でつかんで持ち上げられる程度の大きさの取手を、同時に成形加工して取り付ける。
或いは、他の取り付け方として、便座を手でつかんで持ち上げられる程度の大きさの取手（２）を、接着剤等で取手の無い便座（１）の前述した箇所に貼り付け固定する。
本発明は以下のような構造である。
これを使用する時は、便座を持ち上げる際、非衛生的な嫌悪感を持たずに便座を持ち上げる事が出来る。
【符号の説明】
【０００９】１  便座
２  取手
【図１】
2014064866.tif 000003
【図２】
2014064866.tif 000004
【図３】
2014064866.tif 000005
(57)【要約】【課題】  本発明は、震災などのいつ起こるか分からない非常時に、簡単に防災頭巾として使用出来る、普段使いのショルダーバッグに関するものを提供する。【解決手段】肩紐（１）と取っ手（２）の付いた鞄本体（６）に折り曲げ部分（３）を設け、そこに携帯電話入れ（４）と貴重品入れ（５）、片側側面にジッパー（７）、鞄内部に着脱可能な肩紐付き内袋（８）、鞄内部に首止め（９）を設けたことを特徴とする。【選択図】図１
2014064865.tif 000002
【特許請求の範囲】
【請求項１】
肩紐（１）と取っ手（２）の付いた鞄本体（６）に折り曲げ部分（３）を設け、そこに携帯電話入れ（４）と貴重品入れ（５）、片側側面にジッパー（７）、鞄内部に着脱可能な肩紐付き内袋（８）、鞄内部に首止め（９）を設ける。
本発明は以上の構成よりなる非常時には防災頭巾にもなるショルダーバッグである。
【発明の詳細な説明】
【技術分野】
【０００１】  本発明は、震災などのいつ起こるか分からない非常時に、簡単に防災頭巾として使用出来る、普段使いのショルダーバッグに関するものである。
【背景技術】
【０００２】  従来、防災頭巾と普段使いのショルダーバッグは別のものであった。
いつ、どのような状況で震災に遭うか分からない。
避難をする際、ビルなどの上からの落下物が心配であるが、いつ起こるか分からない震災に備えて、常に防災頭巾を持ち歩くというのは中々出来ないものである。ビジネスの場面でふさわしくなかったり、鞄の他にもう一つ“防災用具”を持つのは日常では違和感がある。
このようなことから、日常的に使用するショルダーバッグが非常時において防災頭巾となるのは極めて有用である。
【先行技術文献】
【技術文献】
【０００３】
【技術文献１】
特許公開２００７−３７６０２号公報。
【発明の概要】
【発明が解決しようとする課題】
【０００４】  これは「折りグセや折り目等が残らない防災頭巾を有する防災用カバンを提供」である為、次のような欠点があった。
（イ）防災頭巾サイズの鞄である為、日常使いにしては大きく違和感がある。
（ロ）折り目を作らない構造になって為、革などの丈夫な比較的堅い素材などを使用した際、頭から肩にかけてのフィット感に多少の無理が生じる。
（ハ）着脱可能な内部インナーがあるが、避難時にインナーを手に持つことで手を塞いでしまう。
（ニ）内部のものを一度、カバンから取り出す為、重要な物を紛失してしまうおそれがある。
（ホ）取手の取り外しなど、カバンから防災頭巾にする際の作業が多い。
本発明は、以上のような欠点をなくすために考えたものである。
【課題を解決するための手段】
【０００５】肩紐（１）と取っ手（２）の付いた鞄本体（６）に折り曲げ部分（３）を設け、そこに携帯電話入れ（４）と貴重品入れ（５）、片側側面にジッパー（７）、鞄内部に着脱可能な肩紐付き内袋（８）、鞄内部に首止め（９）を設ける。
本発明は以上の構成よりなる非常時には簡易に防災頭巾にもなるショルダーバッグである。
【発明の効果】
【０００６】（イ）長手方向に、鞄本体を折り曲げた構造にすることにより、普段使いの鞄のサイズとしてコンパクトで違和感なく使用できる。
（ロ）その構造から防災頭巾として使用する時に、頭部から肩部にかけて鞄にも無理がなく、被る側にも無理のないものとなる。
（ハ）ショルダーバッグにすることにより、非常時に鞄の中に入れていたものは、内部の袋を取り出して逃げる際も肩から掛けられるので、両手を塞ぐことなく避難が可能になる。
（ニ）携帯電話や財布などの貴重品は、防災頭巾として使用する際も入れ替えることなく入れておけるよう、鞄の側部に専用に入れる場所を用意した。貴重品は入れたままの状態で使用出来るので、紛失のおそれを防ぐことが出来る。
（ホ）普段使いの鞄から防災頭巾として使用を変える際には、内部の袋を取り出すのみで、貴重品はそのまま入れた状態で片側のチャックを開けるだけのシンプルな構造である。
【図面の簡単な説明】
【０００７】
【図１】図１は本発明の立体図である。（Ａ）は正面からの立体図、（Ｂ）は裏面からの立体図、（Ｃ）は側面ファスナーを開けた時の図、（Ｄ―１）は内袋の図、（Ｄ−２）は内袋を取り外しジッパーを開いた時の図  （Ｅ）はジッパーを開き側面を上げた時の図、（Ｆ）は防災頭巾として被った時の図
【図２】図２は本発明のショルダーバッグとして使用する際の図である。（Ｇ）は正面図、（Ｈ）は側面図１、（Ｉ）は上部から見た図、（Ｊ）は側面図２、（Ｋ）は裏面図
【図３】図３は本発明の防災頭巾として使用する際の図である。（Ｌ）はバッグから取り出した内袋、（Ｍ）は防災頭巾正面図、（Ｎ）は側面図１、（Ｏ）は側面図２、（Ｐ）は裏面図、（Ｑ）は防災頭巾として使用する際の立体図
【発明を実施するための形態】
【０００８】以下、本発明の実施の形態について説明する。
鞄本体、肩掛け、携帯電話入れ、貴重品入れ、内袋、側面のジッパーからなる。
本発明は、以上のような構造である。
本発明をショルダーバッグとして使用する際には、鞄上部から出し入れをする。
内袋は袋本体に固定されており、着脱可能となっており、防災頭巾として使用する際には取り外して鞄に入っていたものをそのまま方から掛けて逃げることが出来る。
肩紐は袋内にしまう事が出来、鞄として使用することも出来る。
３に示す折り曲げた側面には、４のように携帯電話入れと５の貴重品入れが上部から出し入れ出来るようになっている。これは防災頭巾として使用する際も図３（Ｍ）（Ｎ）に示す通り、出し入れ口が上を向くことにより携帯電話や貴重品が落下することはないので、そのままかぶることが出来る。
また、本発明を非常時に使用する時には、内袋を取り出し肩から掛け、側面にある７のジッパーを開き、裏返して９の首止めをして防災頭巾として使用するというように、簡易に変換が出来る。
【符号の説明】
【０００９】１  肩紐
２  取っ手
３  折り曲げ部分
４  携帯電話入れ
５  貴重品入れ
６  鞄本体
７  側面ジッパー
８  内袋
９  首止め
【図１】
2014064865.tif 000003
【図２】
2014064865.tif 000004
【図３】
2014064865.tif 000005
(57)【要約】【課題】  片手で洗濯物をピンチに挟む。【解決手段】  ピンチのハサミ部片側にロノ字金具を取り付けピンチを開くと金具が倒れハサミ部が開いたまま固定される。  洗濯物をハサミ部に入れロノ字金具を押し上げ洗濯物を挟む。【選択図】図１
2014064868.tif 000002
【特許請求の範囲】
【請求項１】
ロノ字金具取り付け側腕（１）と対側腕（２）を、ロノ字金具（３）を介して開閉自在に一体に設けた事を特徴とする片手で使えるピンチ。
【発明の詳細な説明】
【技術分野】
【０００１】  本発明は、片手の不自由な人が洗濯物を干すことを容易にする為の片手で使えるピンチに関するものである。
【背景技術】
【０００２】  通常洗濯物を干す時は片手でピンチを開き片手で洗濯物を持つという両手作業で行われる。
【発明の概要】
【発明が解決しようとする課題】
【０００３】  通常、ピンチは片手で開き、片手で洗濯物を持って挟むという両手作業であり片手作業は困難である。
【課題を解決するための手段】
【０００４】  ロノ字金具取り付け側腕（１）と対側腕（２）を、ロノ字金具（３）を介して開閉自在に一体に設けた事を特徴とする片手で使えるピンチ。
【発明の効果】
【０００５】  従来片手では困難であった洗濯物をピンチに挟む作業を片手で可能にした。
【図面の簡単な説明】
【０００６】
【図１】  本発明の斜視図
【図２】  本発明の使用状態を示す斜視図
【発明を実施するための形態】
【０００７】    以下、本発明の実施の形態を説明する。
（イ）    ロノ字金具固定側腕部（１）のニガシ部とハサミ部の中間にロノ字金具（３）        を貫通させる。
（ロ）    吊り具取り付け穴（４）を（１）側に開ける。
本発明は以上のような構造である。
【実施例】
【０００８】  本発明を使用するときは、ハサミ部を下向きにしピンチを開く。するとロノ字金（３）が倒れ水平位置で止まりピンチは開いた状態となる。洗濯物をはさみ部に入れロノ字金具（３）を押し上げると洗濯物が挟まれる。
【符号の説明】
【０００９】  １  ロノ字金具取り付け側腕    ２  対側腕    ３  ロノ字金具
４  吊り具穴
【図１】
2014064868.tif 000003
【図２】
2014064868.tif 000004
(57)【要約】【課題】  洗濯物を干す時に、下着等を外部から見られる心配があるが、どのようにして隠すかが課題であり、多く設置されているピンチを効率的に使用して無駄を省くことが課題である。【解決手段】外枠に短いピンチを取り付け、内枠に長いピンチを取り付けることにより、外側に長反物を干し、内側に下着類を干すことにより内側の洗濯物の目隠し機能が出る。また、枠を縦方向に平行に複数設置することにより洗濯物のサイズや種類に関係なく干すことが可能になる。【選択図】図６
2014064862.tif 000002
【特許請求の範囲】
【請求項１】
縦方向に２５Ｃｍから３５Ｃｍの間隔でほぼ平行な内フレームを持ち、そのフレームの周りより５Ｃｍ以上の間隔を持った外枠のフレームを持つ構造の物干しハンガー。
【請求項２】
内側のフレームには外側のピンチより長い支持具で構成された請求項１のフレームを持つ構造の物干しハンガー。
【請求項３】
ピンチを支える支持具の長さを簡易に目視できるようにするために、ピンチの色を支持具の長さごとに統一した色のピンチで構成されたフレームを持つ構造の物干しハンガー。
【請求項４】
縦方向に、中心からほぼ同一距離の間隔でピンチを３個以上取り付け、この列が３列以上あるフレームを持つ構造の物干しハンガー。
【発明の詳細な説明】
【技術分野】
【０００１】  本発明は、洗濯物の物干し具に関する。
【背景技術】
【０００２】  通常の角ハンガーはピンチ吊り下げ具の長さが均一になっており、洗濯物はランダムに吊り下げられてしまう。近年、外側のピンチ吊り下げ具の部分を長くしているものも見当たりますが、内側のピンチ吊り下げ具が短いため、内側に干す洗濯物がなんであるかが外見からわかってしまう欠点が出ている。【０００３】  女性の一人暮らしなどの場合は家族構成が洗濯物によりわかってしまい、危険を生ずることがある。外部よりその構成がわからないような洗濯物の干し方を促せるような構造になっている。また、目隠しを行えることにより、若い女性の下着等が用意に干すことが可能になる。
【発明の概要】
【発明が解決しようとする課題】
【０００４】  通常の２重構造のフレームを物干しハンガーは、内側にあるピンチの間隔が狭く、タオルや下着等を干すには外側のフレームについているピンチを使う。そのように使用すると内側のピンチの幾つかが使用しにくくなり、未使用の状態になり、ピンチの使用効率が悪いという課題がある。【０００５】  若い女性の下着を干し場合には、目隠しを行う物干しハンガーもあるが、この物干しは幅広のスポーツタオルやバスタオルと女性の下着を交互に干し、下着の真横のピンチに靴下等を吊るすことで、下着を目隠しした状態で干すことができる。【０００６】  内側のフレームに取り付けられたピンチと外側のフレームに取り付けられたピンチの高さが同じだと、フレームに取り付けられたピンチが見分け難く、さらにもの干し作業が不効率になるという課題があった。【０００７】  外側のフレームに長い吊り下げ具のピンチを取り付けた場合は、内側のピンチに洗濯物を吊り下げるときに不便があり、作業効率が悪くなるという課題があった。
【課題を解決するための手段】
【０００８】  当発明の物干しハンガーは内側のフレームの間隔が相当の間隔を確保した最低二重構造の枠になっており、内側どうしのピンチで通常のタオルや下着等を干すことができる。さらに外側にあるフレームに取り付けられたピンチと内側のフレームに取り付けられたピンチの大きなものは外側のフレームに取り付けられたピンチを使うことで物干しをすることができる。この場合、外側のフレームに取り付けられたピンチと併用して内側のピンチを使うことでタオルのたわみを少なくした状態で干すことができる。また、内側のフレームに取り付けたピンチを使用したタオルや下着の外側のフレームに取り付けたピンチには靴下やハンカチ等の小さなものを干すことで、未使用のピンチ数を減らすことができる。【０００９】  当発明の構造の物干しハンガーの縦方向のフレームは、平行に最低３本のフレームが並んでいるので、内側どうしのピンチでは通常のタオルや下着を干せ、外側と内側のフレームに取り付けたピンチではスポーツタオル等の中程度の幅の物干しが干せ、外側どうしのフレームに取り付けられたピンチを用いればさらに大きなものを干すことができる。【００１０】  内側のフレームに取り付けた支持具の長さが長くなることで洗濯物の干す位置が外側より低くなるので、内側に干した下着等の洗濯物の目隠し効果を上げることができる。【００１１】  タオル、シーツのような長反物を干す場合に通常では下方に撓みが生じてしまいます。本製品では、それらの洗濯物の中央部を挟めるようなピンチが取り付けられているため、この下方中央部に発生してくる撓みを防げるようになる。
【図面の簡単な説明】
【００１２】
【図１】は従来の物干し具でタオルを干した時の状態を示す図である。
【図２】は本発明の物干し具でタオルを干した時の状態を示す図である。
【図３】は物干し具の外枠と内枠に取り付けられたピンチの状態を示す図である。
【図４】は［図３］の状態の斜視図である。
【図５】は外枠の縦方向に平行な内枠を備えたときの形状を表す図である。
【図６】は［図５］の形状の斜視図である。
【図７】は外枠の縦方向に複数の内枠を取り付けて、吊り下げ具の長短を示す図である。
【図８】は［図７］の形状の斜視図である。
【符号の説明】
【００１３】      １．      物干し具の外枠
２．      ピンチ（短）
３．      タオル
４．      物干し具の内枠
５．      吊り下げ具
６．      ピンチ（長）
【発明を実施するための形態】
【実施例】
【００１４】［図１］と［図２］で比較できるように、通常のピンチ使用の場合、［図１］では３タオルの上部と下部に撓みが生じているが、［図２］では中央部のピンチも使用できるため、撓みの問題が解消されている。【００１５】［図３］から［図８］までで表示されるように１外枠と４内枠が設けられ、１外枠には２ピンチ（短）が、４内枠には６ピンチ（長）が取り付けられている。４内枠の長い吊り下げ具のついた６ピンチ（長）に下着類の見られたくない洗濯物を欲し、１外枠の短い吊り下げ具のついた２ピンチ（短）に３タオル等の長反物の洗濯物を干すことにより、４内枠に干してある洗濯物に対する目隠し機能を自然と発効することができる。【００１６】［図３］から［図８］のように縦方向に１外枠と並行に取り付けた４内枠に設置した６ピンチ（長）と１外枠についている２ピンチ（短）を色分けして取り付けることにより、干すものによって使用するピンチが簡単に選択することができる。【００１７】［図５］から［図８］でみられるように縦方向に複数の２ピンチ（短）、６ピンチ（長）が取り付けられた４内枠を１外枠に並行して設けることにより、洗濯物の大小にかかわらず干すことを可能にする。
【図１】
2014064862.tif 000003
【図２】
2014064862.tif 000004
【図３】
2014064862.tif 000005
【図４】
2014064862.tif 000006
【図５】
2014064862.tif 000007
【図６】
2014064862.tif 000008
【図７】
2014064862.tif 000009
【図８】
2014064862.tif 000010
(57)【要約】      （修正有）【課題】スイートスポットの形を変えたゴルフクラブを提供する。【解決手段】リーディングエッジをすこし斜め前に伸ばして接点を少し下に降ろすことにより、ボールが上がり易い軌道を得る。【選択図】図４
2014064869.tif 000002
【特許請求の範囲】
【請求項１】
ゴルフクラブアイアンに関する物
【発明の詳細な説明】
【技術分野】
【０００１】本発明はゴルフクラブに関する物である
【発明の開示】
【０００２】ゴルフクラブアイアンのスイートスポットの形を変える事
【発明が解決しようとする課題】
【０００３】リーデイングエッヂの部分を変える
【課題を解決するための手段】
【０００４】従来のクラブのスイートスポットの面は平らであるが其の面の下リーデングエッチを少し斜め前に出した
【発明の効果】
【０００５】従来のクラブではゴルフボールにスイートスポットを当てて飛ばしていたがそれではゴルフボールの横一部の接点にしか当たらずボールは上がりにくく良くトップボールになっていた其処でリーディングエッジを斜め前に出してみたら接点が少し下に降りてボールが上がり易くなり良い軌道を得ることが出来る様になった
【発明を実施するための最良の形態】
【０００６】以下本発明の実施の形態を図１〜図４に基づいて説明をする【０００７】図１は従来のゴルフクラブアイアンを正面から見た図である図２は従来のゴルフクラブアイアンのリーデングエッチのところを少し斜め前に出した図である図３は従来のゴルフクラブアイアンを横から見たところでスイートスポットがゴルフボールに接することを表した図である図４はリーデングエッチを少し前斜めに出しスイートスポットと斜め前に出ているリーデングエッチ斜め前のところが同時にボール接しているのを表した図である
【図面の簡単な説明】
【０００８】
【図１】図１は正面から見た図であり従来のアイアンではスイートスポットが平らでありボールの横に当てて前方に飛ばしていた地面Ａの上に乗っているボールは横からだけの接触でありボールは上がりにくくトップしやすくボールを打つときクラブを地面に打ち込むように打たねばならなかった、此れが従来のアイアンである
【図２】図２は正面から見た図であり従来のアイアン下の部分  Ｂのリーデングエッチを少し斜め前に出して斜め前に出した部分が地面Ａに少し入る様にしたものである
【図３】図３は横から見た図でありボールＦの接触部分Ｄを表したものである
【図４】図４は横から見た図でありボールＦに接触する部分Ｅは少し下になる。斜め下に出した部分Ｃも同時にボールに接触するようになる従ってボールは上がるようになる
【図１】
2014064869.tif 000003
【図２】
2014064869.tif 000004
【図３】
2014064869.tif 000005
【図４】
2014064869.tif 000006
(57)【要約】      （修正有）【課題】調味料等専用の収容スペースがあり、調味料の出し入れが頻繁にでき、省エネで、ダニなどの温床により不衛生を生じることのない、調味料用冷蔵庫を提供する。【解決手段】調味料の特色により、分類され出し入れし易く、よって省エネとなり、また、小型薄型の為、調理中、使われやすい場所に設置出来、ダニなどの繁殖や調味料の劣化を防止できる調味料用冷蔵庫とした。【選択図】図１
2014064549.tif 000002
【特許請求の範囲】
【請求項１】
調味料用冷蔵庫は、調理台にも設置できる薄型の冷蔵庫である。
【請求項２】
チュウブ入りの薬味を取り出し易くする為、スライド式ラックを備えた冷蔵庫である。
【請求項３】
調味料用冷蔵庫に合わせた粉類専用の容器を備えた冷蔵庫である。
【請求項４】
紙パック入り調味料を取出しし易いように立てて収納出来るラックを備えた冷蔵庫である。
【請求項５】
調味料入れるラックは、高さを調整可能な冷蔵庫である。
【請求項６】
右開き・左開きの二種類の扉を選択出来る冷蔵庫である。
【発明の詳細な説明】
【技術分野】
【０００１】この発明は、調味料の衛生と劣化防止に関する。
【背景技術】
【０００２】調味料等、常温で放置していると、ダニなどの温床により不衛生を生じ、腐敗が早い為、冷蔵庫に保管するのが望ましい。従来の冷蔵庫では調味料の出し入れが頻繁になり面倒な上、冷蔵庫の温度も上がり省エネ出来ず又、調味料にスペースを取られる。よって、図に示すような、調味料専用の冷蔵庫を提案した。
【発明の概要】
【発明が解決しようとする課題】
【０００３】従来の冷蔵庫は、調味料等専用の、収容スペースが少なく、調味料の出し入れが頻繁になり面倒な上、冷蔵庫の温度も上がり省エネに不向きである。常温で放置していると、ダニなどの温床により不衛生を生じ、腐敗が早い。そこで、この発明は、調味料の衛生と劣化防止、便利さと省エネを提供すること
を課題とする。
【課題を解決するための手段】
【０００４】以上の課題を解決するために、調味料専用の冷蔵庫を提案した。
調味料の特色により、分類され出し入れし易く、よって省エネされ易い。
又、小型薄型の為、調理中、使われやすい場所に設置出来る。
【発明の効果】
【０００５】１．  出し入れし易いので便利である。
２．  出し入れし易いので省エネになる。
３．  調味料の劣化防止になり、衛生的である。
【図面の簡単な説明】
【０００６】
【図１】この発明の一実施形態を示す本体斜視図である。
【図２】この発明の一実施形態を示す扉斜視図である。
【発明を実施するための形態】
【０００７】    「実施形態の効果」
１．  この実施形態によれば、調味料等の開封後、常温で繁殖するダニ等、不衛生面、又調味料の劣化・腐敗を極力防止できる。
２．  通常の冷蔵庫に、調味料すべて保管するにはスペースをとり、又調味料は使用頻度が多い為、冷蔵庫の温度が上がってしまい、エコにつながりにくい。
３．  調味料用冷蔵庫は、調理台近辺に、設置できるので調理をする時に便利である。
【図１】
2014064549.tif 000003
【図２】
2014064549.tif 000004